(57)【特許請求の範囲】
【請求項１】
取付手段を備えた標準スイッチボックスと；
各系統の照明装置の調光レベルを設定する設定部、少なくとも設定部により設定されたデータに基づいて各系統毎のＰＷＭの調光制御信号を調光信号出力部に出力する制御部、制御部から出力された各系統毎のＰＷＭの調光制御信号を電流増幅して出力する調光信号出力部、表面側に配置され、調光レベルを設定するスイッチおよび調光レベルを数値で表示する表示部、ならびに設定部、制御部、調光信号出力部および表示部に電源を供給する電源部を配設し標準のスイッチボックスに収納可能に構成された筐体と；
調光信号出力部より出力される調光制御信号を伝送する２系統以上の信号線と；
各系統毎の信号線に２台以上接続され、ＰＷＭの調光制御信号を処理する機能を備えた点灯回路を有する照明装置と；を具備したことを特徴とする店舗用照明制御装置。
【請求項２】
照度レベルを検出する少なくとも１台の光センサを具備し、電源部は光センサに電力を供給し、制御部は、設定部により設定されたデータと光センサからの照度レベル信号に基づいて調光信号出力部を制御する調光制御信号を出力することを特徴とする請求項１記載の店舗用照明制御装置。
【請求項３】
筐体への電源入力、およびＰＷＭの調光制御信号出力は、筐体の裏面側に配設されたネジ無し端子を介してなされることを特徴とする請求項１または２記載の店舗用照明制御装置。
【請求項４】
設定部は、筐体とは別箱体として形成され、設定信号を送受信する信号線で筐体と接続されていることを特徴とする請求項１〜３のいずれか１つに記載の店舗用照明制御装置。
【請求項５】
設定部と筐体間における設定信号の送受信は、リモコン信号によりワイヤレスで行われることを特徴とする請求項４記載の店舗用照明制御装置。
【発明の詳細な説明】
【０００１】
【発明の属する技術分野】
本発明は調光用照明装置を用いて自然光（昼光）と人工光の総合照明制御を行う照明制御システムに係り、特に小型で施工性，操作性に優れた店舗用照明制御装置に関する。
【０００２】
【従来の技術】
近年、建物の巨大化に伴い部屋の奥行きが深くなり、長時間の裁縫や精密工作等の作業を行うのに必要な照度、即ち基準昼光率である
３００ｌｘ を下回る部分が増えたため、昼間の室内で昼光照明を補助するための人工照明が常時点灯される状況が増えてきている。
【０００３】
昼光率は窓から離れると急速に低下し、ある程度のところまで下がると、以降は穏やかに低下するようになる。このため、従来より、オフィスや店舗等においては、例えば、窓からある程度離れた場所では人工照明を常時点灯させておき、窓付近の人工照明については、全天空照度（室外の明るさ）を光センサにより計測して、その結果に基づいて照明を点灯したり消灯したり或いは調光することで明るさの制御を行っている。また、このような照明制御は、調光用照明装置を用いて行われるのが普通である。
【０００４】
一方、周知の通り、前述のような調光用照明装置を用いた従来の照明制御装置として、以下に示すものが既に実用化されている。即ち、
［１］電源位相制御方式        （２線式調光用照明装置）
［２］電源位相制御伝送方式    （２線式調光用照明装置）
［３］高周波定電流電源方式    （Ｃ．Ｔ．による結合）
［４］時分割多重伝送式制御方式（専用調光端末器）
［５］タイマーと光センサーとリモコンリレーの組み合わせによる方式  （段調光）
［６］調光器による方式        （標準のスイッチボックス取付け）
などによるものである。
【０００５】
次に、これらについて簡単に説明を行う。
図８および図９は従来の照明制御装置の例を示したブロック図である。
【０００６】
図８（ａ）は電源位相制御方式（上記[１]）による調光用照明装置を用いた照明制御装置である。この照明制御装置は、トライアックを備えた制御装置１と、電源供給手段２と、点灯回路３および３’と、ランプ４および４’と、により構成される。
【０００７】
以上の如くに構成された照明制御装置において、制御装置１は、図示しない光センサ等により構成される調光制御信号供給手段から供給される調光制御信号ｕに基づき、電源供給手段２より供給される交流波形（電源）に、同図に示す如くに位相制御（例えば、電圧波形のｔで示す期間電圧をドロップさせる）を施し、点灯回路３および３’に供給する電力量（積分値）を変化させることにより、ランプ４および４’に対する調光制御を行う。
【０００８】
次に、図８（ｂ）は、電源位相制御伝送方式（上記[２]）による調光用照明装置を用いた照明制御装置である。この照明制御装置は、トライアックおよび位相制御データを生成する手段を備えた制御装置６と、電源供給手段２と点灯回路５および５’と、ランプ４および４’と、により構成される。
【０００９】
以上の如くに構成された照明制御装置において、制御装置６は、図示しない光センサ等により構成される調光制御信号供給手段から供給される調光制御信号ｕに基づき、電源供給手段２より供給される交流波形（電源）を、同図に示す如く位相制御するかしないかでデータ（図では１１００）を生成する。そして、点灯回路５および５’は、供給された交流波形（電源）よりデータを取り出し、これに基づいて点灯周波数を変化させ、ランプ４および４’に供給する電力量を変化させることにより、ランプ４および４’に対する調光制御を行う。尚、位相制御データの生成は、電源電圧にロスが発生することのないようにして行われる。
【００１０】
次に、図８（ｃ）は、高周波定電流電源方式（上記[３]）による調光用照明装置を用いた照明制御装置である。この照明制御装置は、周波数を変換（高周波変換）する手段と出力電流を一定（所定値）に保持する手段とを備えた制御装置７と、電源供給手段２と、点灯回路３および３’と、ランプ４および４’と、により構成される。
【００１１】
以上の如くに構成された照明制御装置において、制御装置７は、電源供給手段２より供給される交流電源の周波数を例えば 40kHzに高周波変換すると共に、図示しない光センサ等により構成される調光制御信号供給手段から供給される調光制御信号ｕに基づいて電流値を決定して出力し、カレントトランスＣＴ１およびＣＴ２を介して点灯回路３および３に’電源（定電流）を供給する。これにより、ランプ４および４’に供給される電力量をコントロールすることにより、前記ランプ４および４’に対する調光制御を行う。
【００１２】
ところで、上記３方式による照明制御装置では、前記各制御装置は直接または間接に調光のための制御を行うが、一方で同時に照明装置（ランプ）に供給する電力制御も行っている。これにより、前記各制御装置は相当の発熱を伴うこととなり、盤構造をとらざるを得ない。このため、前記各制御装置（照明制御装置）が大型化してしまうという問題がある。
【００１３】
次に、図８（ｄ）は、時分割多重伝送式制御方式（上記[４]）による調光用照明装置を用いた照明制御装置である。この照明制御装置は、例えば、スタートビット，アドレスデータ，並びに照度データにより構成される制御データ９を生成する手段を備えた制御装置８と、電源供給手段２と、装置アドレス１１および前記制御データ９を処理する機能を備えた点灯回路１２と、制御装置８および点灯回路１２間を接続する信号線１０と、ランプ４と、により構成される。
【００１４】
以上の如くに構成された照明制御装置において、制御装置８は、図示しない光センサ等により構成される調光制御信号供給手段から供給される調光制御信号ｕに基づき、同図に示す如くの制御データ９を生成し、信号線１０に出力する。そして、点灯回路４は、自己（装置アドレス）宛の制御データ９を信号線１０より取り込み、前記制御データ９から前記照度データを取り出し、これに基づいてランプ４に供給する電力量を変化させることにより、ランプ４に対する調光制御を行う。尚、前記信号線１０には複数の装置アドレスを有する点灯回路が接続されていて、制御装置８が信号線１０に出力する制御データ９中のアドレスを指定することにより所望の点灯回路に対して調光制御を行うことが可能である。
【００１５】
しかしながら、上記方式による照明制御装置では、調光のための制御（例えば制御信号を出力する動作）機能と、照明装置（ランプ）に供給する電力制御機能を別々に行うようにしている。即ち、前者の機能を制御装置に後者の機能を点灯回路にそれぞれ持たせている。このため、既述の３方式による照明制御装置が有する欠点はクリアできるものの、時分割多重伝送のための新たな手段（機能）、即ち、伝送用主装置や端末器等が必要となる。
【００１６】
具体的には、例えば、前記制御装置に時分割多重伝送機能（通信機能）を持たせ、前記点灯回路に端末器としての機能（通信機能）を持たせる必要が生じる。この方式によると、きめ細かなエリアにおける調光制御には非常に有利である。が、前述の通り例えば制御装置および点灯回路に時分割多重伝送機能（通信機能）を追加する必要が生じ、コスト高になるという欠点がある。
【００１７】
次に、図９（ａ）は、タイマーと光センサーとリモコンリレーの組み合わせによる方式（上記[５]）による調光用照明装置を用いた照明制御装置である。この照明制御装置は、電源供給手段２と、例えば定格照度の５０％，７０％，及び１００％の三段階の段調光を行う点灯回路１３および１３’と、ランプ４および４’と、照度を測定し照度レベルに応じて前記三段階調光の内の１つを自動で指定する光センサ１６’と、光センサ制御器１６と、ユーザが操作することにより前記三段階調光の内の何れか１つを指定するリモコンスイッチ１７と、前記光センサ制御器１６またはリモコンスイッチ１７の指定に基づいてスイッチを切り替えるリモコンリレー１４と、リモコンリレー１４の開閉を行うための電力を供給するトランス１５と、により構成される。
【００１８】
以上の如くに構成された照明制御装置において、リモコンリレー１４は、光センサ制御器１６により、またはリモコンスイッチ１７（ユーザ）により指定された調光レベルに該当するスイッチを例えば閉とする。これにより、点灯回路１３および１３’は、前記指定された調光レベルに応じた電力量を、ランプ４および４’に対して供給する。これにより、前記ランプ４および４’に対する段調光制御が行われる。
【００１９】
しかしながら、上記方式による照明制御装置では、トランスやリモコンリレー等を要し、これらが盤に納められるため装置が大型化してしまう。また、調光が飛び石的（段調光）に行われるため、細かな照明照度の調整が不可能であることに加え、きめ細かな省エネを図るには不十分であるといった欠点がある。
【００２０】
次に図９（ｂ）は、調光器による方式（上記[６]）による調光用照明装置を用いた照明制御装置である。この照明制御装置は、例えばボリュームダイアルの回転角度によりユーザより指定された照明照度をＰＷＭ信号に変換して出力する調光器１９と、電源供給手段２と、点灯回路１８および１８’と、ランプ４および４’と、により構成される。
【００２１】
以上の如くに構成された照明制御装置において、ユーザが所望の（最適な）照明照度を得ようとして、調光器１９のボリュームダイアルを回すと、前記ボリュームダイアルの回転角度に対応したＰＷＭ信号が点灯回路１８および１８’にそれぞれ供給される。点灯回路１８および１８’は入力されたＰＷＭ信号に基づいてランプ４および４’に供給される電力量を変化させ、これにより、調光制御を行う。
【００２２】
しかしながら、上記方式による照明制御装置では、手動により調光制御を行う場合が主であり、省エネ効果やユーザにとっての快適な調光制御を行うためには操作が大変であるといった欠点がある。
【００２３】
【発明が解決しようとする課題】
上記の如く、従来の照明制御装置では、段調光のため省エネ効果が十分に得ることができなかったり、盤構造により施工性が悪く装置が大型化してしまう傾向にあり、小型化可能な装置構成にするとコストアップが生じてしまうといった問題（欠点）があった。
【００２４】
本発明は、省エネ効果が得られ、かつ制御装置を小型に構成可能な店舗用照明制御装置を提供することを目的とするものである。
【００２５】
【課題を解決するための手段】
請求項１の発明の店舗用照明制御装置は、取付手段を備えた標準スイッチボックスと；各系統の照明装置の調光レベルを設定する設定部、少なくとも設定部により設定されたデータに基づいて各系統毎のＰＷＭの調光制御信号を調光信号出力部に出力する制御部、制御部から出力された各系統毎のＰＷＭの調光制御信号を電流増幅して出力する調光信号出力部、表面側に配置され、調光レベルを設定するスイッチおよび調光レベルを数値で表示する表示部、ならびに設定部、制御部、調光信号出力部および表示部に電源を供給する電源部を配設し標準のスイッチボックスに収納可能に構成された筐体と；調光信号出力部より出力される調光制御信号を伝送する２系統以上の信号線と；各系統毎の信号線に２台以上接続され、ＰＷＭの調光制御信号を処理する機能を備えた点灯回路を有する照明装置と；を具備したことを特徴とする。
【００２６】
請求項２の発明は、請求項１記載の店舗用照明制御装置において、照度レベルを検出する少なくとも１台の光センサを具備し、電源部は光センサに電力を供給し、制御部は、設定部により設定されたデータと光センサからの照度レベル信号に基づいて調光信号出力部を制御する調光制御信号を出力することを特徴とする。
【００２７】
請求項３の発明は、請求項１または２記載の店舗用照明制御装置において、筐体への電源入力、および調光制御信号出力は、筐体の裏面側に配設されたネジ無し端子を介してなされることを特徴とするものである。
【００２８】
請求項１ないし３記載の発明によれば、電源部，調光信号出力部，設定部，制御部，調光レベルを設定するスイッチおよび調光レベルを数値で表示する表示部を筐体に配設し、筐体を例えば標準スイッチボックスに取り付け可能な構成としたことにより、調光レベルの設定が数値表示で行え、安価で施工性が良く、かつ制御装置を収納する筐体を小型に構成可能な店舗用照明制御装置が得られる。
【００２９】
請求項４の発明は、請求項１〜３のいずれか１つに記載の店舗用照明制御装置において、設定部は、筐体とは別箱体として形成され、設定信号を送受信する信号線で筐体と接続されていることを特徴とする。
【００３０】
請求項５の発明は、請求項４記載の店舗用照明制御装置において、設定部と筐体間における設定信号の送受信は、リモコン信号によりワイヤレスで行われることを特徴とする。
【００３１】
請求項４および５記載の発明によれば、設定部を筐体から分離して別箱体とし、遠隔操作により（筐体内の制御装置から離れて）制御装置の設定を可能としたので、設定部の分だけ制御装置のコストを下げる事が出来ると共により正確な明るさの設定が可能となる。
【００３２】
【発明の実施の形態】
以下、本発明の実施の形態について図面を参照して説明する。
図１は本発明の照明制御装置の第１の実施の形態を示すブロック図である。
【００３３】
図１における照明制御装置は、例えば、奥行きが深く昼光照明が十分照射されない、人工照明を必要とする店舗やオフィス等の窓際，部屋の中央付近，並びに部屋の最奥部付近の少なくとも３ヶ所に、それぞれ設けられた複数の照明装置２９と、照明装置２９に調光制御を行うための、例えば、ＰＷＭ信号等の調光制御信号を供給する制御装置２１と、制御装置２１に電力を供給する電源供給手段２と、照度を検出して制御装置２１に供給する室内または室外の所定の位置に設けられた光センサ１６と、により構成される。
【００３４】
また、前記制御装置２１は、前記光センサ１６により検出された照度レベルをディジタル信号に変換する光センサ入力部２３と、調光制御を行う時間帯を設定するタイマー部２６と、調光制御内容を指定する設定部２７と、前記光センサ１６，タイマー部２６，並びに設定部２７からの出力に基づいて調光制御信号を出力する制御部２４と、制御部２４からの制御信号に基づいて信号線３０，３１，３２それぞれに対して所定の調光信号（ＰＷＭ信号等）を出力する調光信号出力部２５と、前記電源供給手段２より電力の供給を受け、前記光センサ１６，光センサ入力部２３，制御部２４，並びに調光信号出力部２５に電源を供給する電源部２２と、により構成される。
【００３５】
さらに、前記照明装置２９は前記ＰＷＭ信号等の調光制御信号を処理する機能を備えた点灯回路２８と、ランプ４と、により構成される。
【００３６】
以上のように構成された照明制御装置において、室外または室内の所定の位置に設置された光センサ１６により検出された照度レベルは、制御装置２１を構成する光センサ入力部２３でディジタル値に変換された後、制御部２４に供給される。制御部２４では、前記タイマー部２６および設定部２７により予め設定された制御内容に基づいて、光センサ入力部２３より入力された照度レベルに応じ、本発明の実施の形態では、前記３本の信号線３０，３１，３２それぞれに所定の調光信号（ＰＷＭ信号等）を出力すべく、調光信号出力部２５を制御する。
【００３７】
そして、前記各信号線３０，３１，３２それぞれに接続された照明装置２９を構成する点灯回路２８は、それぞれの信号線より供給される調光信号に基づいてランプ４に供給する電力量を変化させることにより、ランプ４に対する調光制御を行う。尚、前記光センサ１６は人感センサであっても良い。また、前記各センサを複数台設けることにより、より厳密な調光制御が可能となる。
【００３８】
ところで、前記照明制御装置の制御装置２１は、図２に示すサポート付筐体３９に収められ、スイッチボックス３４内に収納され、アダプター３５によりスイッチボックス３４に固定され、化粧板３６により体裁が整えられる。このような構成とすることにより、照明制御装置の小型を可能とし、且つ施工性を改善することができる。尚、図２は、制御装置２１の実装状態を説明するための図である。
【００３９】
次に、図３を参照しながら前記タイマー部２６および設定部２７による照明制御装置のタイマー並びに調光率の設定の方法について説明を行う。尚、図３は制御装置２１が収められた筐体３９の表側パネル面と裏側端子台を示した図である。
【００４０】
図３（ｂ）に示す制御装置２１が収められた筐体３９の裏側端子台のネジ無し端子４５には、前記光センサ入力部２３に照度レベルを供給する光センサ１６の信号ラインと電源ラインとが接続されていて、ネジ無し端子４６には前記制御装置２１の電源部２２に交流電源（ＡＣ１００Ｖ）を供給する電源ラインが接続されていて、ネジ無し端子４７には前記３系統の信号線３０，３１，３２がそれぞれに接続されている。
【００４１】
さて、前記タイマー並びに調光率の設定は図３（ａ）の設定パネルにて行われる。以下、設定方法の一例について説明を行う。
【００４２】
タイマー、並びに調光率の設定は、設定モード切り替えスイッチ４１を押下して設定モードを選択してから行われる。このスイッチを押下すると、表示部４０の５つの７セグメントＬＥＤ（以下端にＬＥＤ）の内、左端のＬＥＤの表示（数字）が１からＥまで変化する。そして、この数字はそれぞれ次の設定モードを示す。即ち、
１    １回路目の光センサ制御上限レベル設定値        70〜100%
２    １回路目の光センサ制御下限レベル設定値        70〜100%
３    １回路目の一定調光レベル設定値                70〜100%
４    ２回路目の光センサ制御上限レベル設定値        70〜100%
５    ２回路目の光センサ制御下限レベル設定値        70〜100%
６    ２回路目の一定調光レベル設定値                70〜100%
７    ３回路目の光センサ制御上限レベル設定値        70〜100%
８    ３回路目の光センサ制御下限レベル設定値        70〜100%
９    ３回路目の一定調光レベル設定値                70〜100%
Ａ    現在時刻表示                                  24H表示
ｂ    ＯＮタイマ１                                  24H表示
Ｃ    ＯＦＦタイマ１                                24H表示
ｄ    ＯＮタイマ２                                  24H表示
Ｅ    ＯＦＦタイマ２                                24H表示
となっている。
【００４３】
また、セットスイッチ４２は、前記１〜Ｅの各モードを設定後に押下する事により、各設定値が記憶される。さらに、ＵＰスイッチ４３は調光レベル設定時には５％刻みで設定値をＵＰし、時刻，タイマ設定時には時は１Ｈ刻みで、分は１０Ｍ刻みでそれぞれＵＰする。そして、ＤＯＷＮスイッチ４４は調光レベル設定時には５％刻みで設定値をＤＯＷＮし、時刻，タイマ設定時には、時は１Ｈ刻みで、分は１０Ｍ刻みでそれぞれＤＯＷＮする。
【００４４】
最初に、調光率の設定例として、例えば、１回路目の光センサ上限レベルを９０％に、下限レベルを７０％に、一定調光レベルを８０％に設定する設定方法について説明を行う。
【００４５】
先ず、モードスイッチ４１を何回か押下して設定モードを１（上限レベル）に設定する。そして、ＵＰスイッチ４３またはＤＯＷＮスイッチ４４を何回か押下して、表示部４０の５つのＬＥＤの内の、左端から２および３番目のＬＥＤの表示（数字）を９０に設定し、セットスイッチ４２を押下する。同様に、モードスイッチ４１を押下して設定モードを２（下限レベル）に設定し、ＵＰスイッチ４３またはＤＯＷＮスイッチ４４を何回か押下して、表示部４０の５つのＬＥＤの内の、左端から４および５番目のＬＥＤの表示（数字）を７０に設定し、セットスイッチ４２を押下する。さらに、モードスイッチ４１を押下して設定モードを３（一定調光レベル）に設定し、ＵＰスイッチ４３またはＤＯＷＮスイッチ４４を何回か押下して、表示部４０のＬＥＤの表示（数字）を８０に設定し、セットスイッチ４２を押下する。
【００４６】
以上により、１回路目の光センサ上限レベルを９０％に、下限レベルを７０％に、一定調光レベルを８０％に設定する調光率設定が完了する。以下、必要に応じて、２回路目の光センサ，３回路目の光センサの設定を行うことで、調光率の設定が終了する。尚、光センサ制御を行わない場合には、上記設定で、光センサ上限レベルおよび下限レベルを共に０％若しくは同一の値に設定する。
【００４７】
次に、時刻・タイマの設定で、時刻を１５：２０に設定する場合を例に説明を行う。
【００４８】
先ず、モードスイッチ４１を何回か押下して設定モードをＡに設定する。そして、ＵＰスイッチ４３またはＤＯＷＮスイッチ４４を何回か押下して、表示部４０の５つのＬＥＤの内の、左端から２および３番目のＬＥＤの表示（数字）を１５に設定し、セットスイッチ４２を押下する。さらに、ＵＰスイッチ４３またはＤＯＷＮスイッチ４４を何回か押下して、表示部４０の５つのＬＥＤの内の、左端から４および５番目のＬＥＤの表示（数字）を２０に設定し、セットスイッチ４２を押下する。
【００４９】
以上により、時刻・タイマの設定で、時刻を１５：２０に設定する時刻・タイマの設定が完了する。
【００５０】
次に、例えば、上記図３（ａ）の設定パネルによって、１回路目の最も窓際近くに設けられた照明装置を調光制御する信号線３０を流れる調光信号（ＰＷＭ信号等）の上限レベル（光センサ制御上限レベル）を９０％に、下限レベルを７０％に、一定調光レベルを８０％にそれぞれ調光率設定され、２回路目の部屋の中央部付近に設けられた照明装置を調光制御する信号線３１を流れる調光信号（ＰＷＭ信号等）の上限レベル（光センサ制御上限レベル）を９０％に、下限レベルを７５％に、一定調光レベルを８５％にそれぞれ調光率設定され、３回路目の部屋の最奥部付近に設けられた照明装置を調光制御する信号線３２を流れる調光信号（ＰＷＭ信号等）の上限レベル（光センサ制御上限レベル）を９０％に、下限レベルを８０％に、一定調光レベルを９０％にそれぞれ調光率設定され、タイマ設定、即ち、光センサによる調光制御を行う時間帯の設定が０８：００〜１６：００に設定されている場合における、前記照明制御装置の動作について説明を行う。
【００５１】
図４はセンサ照度レベルと調光率の関係の一例を示した図である。
前記図１に示す如くに構成された照明制御装置において、室外または室内の所定の位置に設置された光センサ１６により検出された照度レベルは、制御装置２１を構成する光センサ入力部２３でディジタル値に変換された後、制御部２４に供給される。制御部２４では、前記タイマー部２６および設定部２７により、前述の通りに設定された制御内容に基づいて、時刻が０８：００〜１６：００の間では、光センサ入力部２３より入力されたセンサ照度レベルに基づいて、前記部屋の３カ所に設けられた照明装置に対して、図４に示す如くの制御下限レベルから制御上限レベルの間において、例えば、前記センサ照度レベルに反比例して調光制御が行われる。尚、前記制御下限レベルに相当するセンサ照度レベル、および前記制御上限レベルに相当するセンサ照度レベルはすでに設定されているものとする。
【００５２】
即ち、窓際近くに設けられた照明装置の接続された前記信号線３０には、前記調光信号出力部２５より、図４の折れ線５４に示す調光率に基づいた調光信号（ＰＷＭ信号等）が供給され、部屋の中央部付近に設けられた照明装置の接続された前記信号線３１には、前記調光信号出力部２５より、図４の折れ線５３に示す調光率に基づいた調光信号（ＰＷＭ信号等）が供給され、部屋の最奥部付近に設けられた照明装置の接続された前記信号線３２には、前記調光信号出力部２５より、図４の折れ線５２に示す調光率に基づいた調光信号（ＰＷＭ信号等）が供給される。
【００５３】
そして、前記各信号線３０，３１，３２それぞれに接続された照明装置２９を構成する点灯回路２８は、それぞれの信号線より供給される調光信号に基づいてランプ４に供給する電力量を変化させる事により、ランプ４に対する調光制御を行う。即ち、窓際に近い照明装置は暗く、部屋の奥の照明は明るく点灯する。
【００５４】
図５に、本発明の照明制御装置における制御装置２１の回路図例を示す。
図５において、電源部２２は端子３８に５Ｖの定電圧を発生し、各処理部に供給する。また、制御部２４はメモリ内蔵のマイコン５０により構成され、センサー入力部２３はシリアル通信にて光センサ１６よりのデータを前記マイコン５０に送る、Ａ／Ｄコンバータ４９（東芝製ＴＣ３５０９８等）により構成され、タイマー部はＲＴＣ５１により構成され、設定部２７はスイッチＳＷ１〜４と、７セグメントＬＥＤ４０と、前記マイコン５０よりシリアル通信にてデータを受けて前記７セグメントＬＥＤ４０に供給し、表示制御する７セグメントＬＥＤドライバー４８（モトローラＭＣ１４４８９等）により構成され、調光信号出力部２５は調光信号を電流増幅して出力するためのトランジスタによりそれぞれ構成される。
【００５５】
以上の構成において、前記Ａ／Ｄコンバータ４９は前記マイコン５０のＣＳ０（チップセレクト），ＲＸＤ，ＣＬＫ（クロック）と接続され、マイコン５０のＣＳ０およびＣＬＫより信号を受けると、シリアル通信にて光センサ１６よりのデータをマイコン５０のＲＸＤに送る。設定部２７の７セグメントＬＥＤドライバー４８はマイコン５０のＣＳ１，ＴＸＤ，ＣＬＫと接続され、マイコン５０のＣＳ１およびＣＬＫより信号を受けると、ＴＸＤより送られてくるデータに基づいて７セグメントＬＥＤ４０に表示する。設定部２７のスイッチＳＷ１〜４はマイコン５０のＤＩ０〜ＤＩ３にそれぞれ接続され、各スイッチがオンのときはローレベルをオフのときハイレベル（５Ｖ）を前記各ＤＩ０〜ＤＩ３に供給する。タイマー部２６のＲＴＣ５１はマイコン５０のＣＳ２，ＲＸＤ，ＴＸＤ，ＣＬＫと接続され、マイコン５０のＣＳ２およびＣＬＫより信号を受けると、ＲＴＣ５１に記憶されたデータをＲＸＤに送ると共に、ＴＸＤより送られてくるデータを記憶または表示する。調光信号出力部２５の電流増幅トランジスタの各ベースにはマイコン５０のＤＯ０〜ＤＯ２よりパルス幅制御された信号（ＰＷＭ信号）が供給される。
【００５６】
以上の発明の実施の形態によれば、電源部，センサー入力部，設定部，調光信号出力部，並びにタイマー部を一体化し、標準スイッチボックスに取付可能な構成としたので、施工性並びに操作性が向上し、低コスト化が図れる。
【００５７】
図６は本発明の第２の実施の形態を示すブロック図である。また、図７は本発明の第２の実施の形態の要部を示した回路図である。
図６は図１における照明制御装置の制御装置２１から設定部２７を分離した構成としたものである。即ち、制御装置２１には設定部２７を設けず、前記制御部の収められた筐体３９とは別体とし、お互いを信号線３３で結ぶようにする。距離を伸ばす場合には、バッファ等のノイズ対策回路を追加するようにする。
【００５８】
以上のような構成とすることにより、次のような効果が得られる。即ち、装置の設定は、最初の初期設定時とメンテナンス時のみであるため、この設定部は設定者（フィールドエンジニア等）が持っていれば十分である。したがって、通常時の照明制御に不要な設定部を制御装置から切り放しても何等問題はなく、むしろ、設定部を不要とした分だけ制御装置のコストを下げる事が出来る。
【００５９】
また、明るさの設定時には照明の下で、実際に照度計を見ながら作業を行うことが好ましく（前記信号線を伸ばす事で実現可能）、これにより、より正確な明るさの設定が可能となる。尚、前記制御装置と設定部とは信号線で結ばれている（通信が行われている）としたが、赤外線等によるリモコン信号を用いて通信を行うようにしてももちろん良い。
【００６０】
【発明の効果】
請求項１ないし３記載の発明によれば、電源部，調光信号出力部，設定部，制御部，調光レベルを設定するスイッチおよび調光レベルを数値で表示する表示部を筐体に配設し、筐体を例えば標準スイッチボックスに取り付け可能な構成としたことにより、調光レベルの設定が数値表示で行え、安価で施工性が良く、かつ制御装置を収納する筐体を小型に構成可能な店舗用照明制御装置が得られるという効果がある。
【００６１】
請求項４および５記載の発明によれば、設定部を筐体から分離して別箱体とし、遠隔操作により（筐体内の制御装置から離れて）制御装置の設定を可能としたので、設定部の分だけ制御装置のコストを下げる事が出来ると共により正確な明るさの設定が可能となる。
【図面の簡単な説明】
【図１】  本発明の照明制御装置の第１の実施の形態を示すブロック図である。
【図２】  制御装置の実装状態を説明するための図である。
【図３】  制御装置が収められた筐体の表側パネル面と裏側端子台を示した図である。
【図４】  センサ照度レベルと調光率の関係の一例を示した図である。
【図５】  本発明の照明制御装置における制御装置の回路図例である。
【図６】  本発明の第２の実施の形態を示すブロック図である。
【図７】  本発明の第２の実施の形態の要部を示した回路図である。
【図８】  従来の照明制御装置の例を示したブロック図である。
【図９】  従来の照明制御装置の例を示したブロック図である。
【符号の説明】
２        …電源供給手段
４        …ランプ
１６      …光センサ
２１      …制御装置
２２      …電源部
２３      …光センサ入力部
２４      …制御部
２５      …調光信号出力部
２６      …タイマー部
２７      …設定部
２８      …点灯回路
２９      …照明装置
３０〜３２…信号線
【図１】
0003794656.tif 000002
【図２】
0003794656.tif 000003
【図３】
0003794656.tif 000004
【図４】
0003794656.tif 000005
【図５】
0003794656.tif 000006
【図６】
0003794656.tif 000007
【図７】
0003794656.tif 000008
【図８】
0003794656.tif 000009
【図９】
0003794656.tif 000010